(57)【要約】【課題】本発明の目的は、少なくとも冷凍室の上方に冷蔵室を有した形態の冷蔵庫において、庫内灯の発熱を利用して、冷蔵室底面の過冷却を確実に防止する冷蔵を提供する。【解決手段】冷蔵室４の下部に設けられ、扉６の開閉動作と同期して点灯または消灯する庫内灯２３と、冷蔵室４内に設けられ冷蔵室４内温度を検知する温度センサ２１と、この温度センサ２１の検知温度に基づき運転制御される圧縮機１８と、圧縮機１８が停止したとき、または停止以降に（Ｓ１）、庫内灯２３を通常よりも小さい単位時間当たりの出力電力で点灯させる（Ｓ２）制御手段３０とを備える。【選択図】  図１
2005003262.tif 000002
【特許請求の範囲】
【請求項１】
少なくとも冷凍室の上方に冷蔵室を有する冷蔵庫本体と、この本体の各貯蔵室開口部を開閉自在に閉塞するように設けた扉と、前記冷蔵室の下部に設けられ前記扉の開閉動作と同期して点灯または消灯する庫内灯と、前記冷蔵室内に設けられ冷蔵室内温度を検知する温度センサと、この温度センサの検知温度に基づき運転制御される圧縮機と、圧縮機が停止したとき、または停止以降に前記庫内灯を通常よりも小さい単位時間当たりの出力電力で点灯させる制御手段とを備えたことを特徴とする冷蔵庫。
【請求項２】
制御手段は、通常の出力電力で断続的に点灯させることにより、庫内灯を通常よりも小さい単位時間当たりの出力電力で点灯させることを特徴とする請求項１記載の冷蔵庫。
【請求項３】
制御手段は、庫内灯を点灯させた場合において、前サイクルまたは複数サイクルの圧縮機の運転時間または運転率に基づき、圧縮機の運転時間が所定時間以上または運転率が所定値以上のときは、前記庫内灯をほぼ通常通りの単位時間当たりの出力電力で点灯させることを特徴とする請求項１記載の冷蔵庫。
【請求項４】
制御手段は、庫内灯を点灯させた場合において、外気温が所定温度以上のときは、前記庫内灯をほぼ通常通りの単位時間当たりの出力電力で点灯させることを特徴とする請求項１記載の冷蔵庫。
【発明の詳細な説明】
【０００１】
【発明の属する技術分野】
本発明は、少なくとも冷凍室の上方に冷蔵室を有する冷蔵庫の温度補償制御に関する。
【０００２】
【従来の技術】
従来、２温度式冷凍冷蔵庫では、冷凍室の上方に冷蔵室を有し、冷蔵室のみに設けた温度センサに基づき、圧縮機を運転または停止させて冷蔵室および冷凍室の温度制御を行っているものがある。
この場合、冷凍室と冷蔵室を区画する仕切壁は、冷凍室内温度の影響により冷蔵室が冷やされ過ぎないように発泡スチロールなどよりなる断熱材で形成されているが、少なくとも冷蔵室の高さ寸法の中間部位と比較すると、この仕切壁によって構成されている冷蔵室の底面は、冷凍室内の温度影響を受けて１〜２℃程度低くなる。
【０００３】
このため、一般的に温度センサは、冷蔵室の平均的な温度を検知すべく高さ寸法のほぼ中間位置に設けられていることから、温度センサの検知温度と実際の冷蔵室の底面温度には温度差が生じ、温度センサが圧縮機の停止温度、例えば２℃を検知したときには、圧縮機を停止したとしても冷凍室の温度影響を受け、冷蔵室の底面は０℃以下に冷やされてしまい、底面に載置された食品が凍結するなどの低温障害が生じる恐れがある。
【０００４】
この場合、最も低温の箇所が凍結しないように圧縮機の停止温度を例えば２℃程度、高くシフトすればかかる低温障害を防止することができる。しかし、これでは庫内の平均温度も上がってしまい、室内の空間位置によっては例えば５℃〜６℃程度まで上昇し、かかる空間に載置された食品に悪影響を及ぼす恐れが生じる。
よって、このような障害を解消するために、仕切壁の上部に出力電力が３〜４Ｗ程度の温度補償用のヒータを埋設し、圧縮機の停止と同時に、このヒータに通電する構成が考えられている。
【０００５】
ここで、このヒータを用いた場合における温度センサの検知温度と冷蔵室の底面温度の変動について図１０を参照して説明する。
圧縮機の運転開始温度を４℃、停止温度を２℃とした場合、温度センサが４℃を検知すると、圧縮機を起動して冷蔵室および冷凍室は冷却されていく。その後、温度センサが２℃以下を検知すると、圧縮機を停止し、冷蔵室および冷凍室は温度上昇していくことになり、再び４℃以上を検知した場合には、圧縮機を起動する。このような動作を繰り返すことにより、冷蔵室は平均温度として３℃を保持するようになっている。
【０００６】
また、冷蔵室の底面温度は、圧縮機の運転と同時に冷却されていくが、冷凍室の温度影響を受けるため、温度センサの検知温度よりも速く温度下降していく。このため、温度センサの検知温度が２℃に達したときには、冷蔵室の底面温度は１℃程度まで冷やされており、このとき、圧縮機を停止しても冷凍室の温度影響を受けて、さらに温度下降することになる。
しかし、圧縮機の停止タイミングにおいて、ヒータに通電することにより、冷蔵室の底面は加温されるため、圧縮機停止後においても温度下降することなく、底面に載置された食品の低温障害を防止する構成となっている。
【０００７】
一方、その他の従来技術として、このような温度補償用のヒータの代わりに、既存の庫内灯を用い、外気温が低温の時には、常時、庫内灯を点灯させて、その発熱量を利用することにより、冷蔵室の過冷却を防止する構成も考えられている（例えば、特許文献１）。
【０００８】
【特許文献１】
特開平５−９３５６８号公報（段落［０００２］、［０００３］、［００１５］〜［００１９］、図１）
【０００９】
【発明が解決しようとする課題】
しかしながら、上記した温度補償用のヒータを用いると、コストアップになるとともに、部品点数が増加するため、組立て作業が煩雑になっていた。
また、この温度補償用のヒータの代わりに、単に庫内灯を用いても、庫内灯の出力電力は一般的に１０〜１５Ｗ程度であるため、通常用いているヒータと比べ６〜１２Ｗ程度もの差があり、これでは同様の制御を行っても加温し過ぎることになる。この場合、冷蔵室の底面だけでなく冷蔵室空間全体が加温されるため、圧縮機の運転時間、すなわち圧縮機の運転率が不必要に高くなり、過剰な電力を消費してしまうという弊害が生じることになる。
さらに、庫内灯の配置位置は一般的に冷蔵室内の天井面または冷蔵室高さ方向の中間位置よりも上方の背面に設けられているため、冷凍室の上方に冷蔵室を有する冷蔵庫においては、冷蔵室の底面を加温するためには離れ過ぎている。このため、庫内灯を点灯させても、冷蔵室の底面を加温する作用よりも、逆に冷蔵室の中間部または上部を加温してしまい、特に外気温が低い場合などには、圧縮機の運転が開始された時点においても、底面は十分に加温されないことになる。すると、冷蔵室の底面は、圧縮機の運転と停止のサイクル毎に除々に温度下降していくことになり、結局、０℃以下まで下降し、低温障害を生じる恐れがある。
【００１０】
本発明は上記事情を考慮してなされたものであり、その目的は、少なくとも冷凍室の上方に冷蔵室を有した冷蔵庫において、庫内灯の発熱量を利用して、冷蔵室底面の過冷却を防止する冷蔵庫を提供することにある。
【００１１】
【課題を解決するための手段】
本発明は、少なくとも冷凍室の上方に冷蔵室を有する冷蔵庫本体と、この本体の各貯蔵室開口部を開閉自在に閉塞するように設けた扉と、前記冷蔵室の下部に設けられ前記扉の開閉動作と同期して点灯または消灯する庫内灯と、前記冷蔵室内に設けられ冷蔵室内温度を検知する温度センサと、この温度センサの検知温度に基づき運転制御される圧縮機と、圧縮機が停止したとき、または停止以降に前記庫内灯を通常よりも小さい出力電力で点灯させる制御手段とを備えたことを特徴する。
【００１２】
【発明の実施の形態】
以下、本発明の一実施形態について説明する。図４は、冷蔵庫本体１を示す縦断面図である。この図４に示すように、冷蔵庫本体１は、前面が開口した断熱箱体２内に、断熱仕切壁７により上下に区画された冷凍室３および冷蔵室４を設けており、各室３，４の開口部には、引出し式の冷凍室扉５、ヒンジ開閉式の冷蔵室扉６をそれぞれ開閉自在に取付けている。
冷凍室３および冷蔵室４の背面には冷却室９を設けており、この冷却室９には、冷気を生成する蒸発器１１、冷気を庫内に送風する冷却ファン１０、蒸発器１１を除霜する除霜ヒータ１２などを設けている。
【００１３】
冷蔵庫背面底部には、圧縮機１８、後述する制御装置３０および外気温センサ２６などを配設した機械室１７を設けており、圧縮機１８を運転すると、蒸発器１１に冷媒が流れて冷気を生成するようになっている。
冷却室９の上方には、図示しない吹出口を穿設した送風路１４を設けており、この送風路１４を介して、蒸発器１１で生成された冷気が冷蔵室４に供給され、室内を冷却するようになっている。
冷凍室３の背面上部には、冷却室９と連通した吹出口９ａを形成しており、この吹出口９ａにより、蒸発器１１で生成された冷気が室内に供給され、室内を冷却するようになっている。
【００１４】
冷却室９は、圧縮機１８の運転中においては、蒸発器１１の熱交換により−２０℃〜−２５℃程度の冷凍温度になっているため、かかる室内温度が冷蔵室にリークしないように、発泡スチロールよりなる断熱材１９で覆っている。
この断熱材１９の前面には、図５に示すように、意匠用として背面カバー２０を取付けており、この背面カバー２０の上部２０ａには、温度センサ２１を設けている。また、背面カバー２０の高さ方向のほぼ中間部２１ｂには、庫内灯２３を化粧カバー２４を介して配設している。
【００１５】
断熱仕切壁７は、図４，図５に示すように、発泡スチロールなどで成形された断熱材７ａを上下に挟むとともに、断熱材７ａとの間に２〜１０ｍｍ程度の空間部７ｂを形成して、底板７ｃおよび天井板７ｄを設けており、比熱の小さい断熱空間部７ｂを形成することにより、簡素な構成で、冷凍室３から冷蔵室４への冷気リークを最小限に抑制している。このような構成によれば、比熱の大きい空間部を介しているので断熱材のみで構成した仕切壁よりも断熱効率がよく、もって仕切壁厚を薄くすることができる。なお、この空間部７ｂは片側のみに設けてもよい。
【００１６】
また、背面カバー２０の中間部２１ｂから断熱材７ａに亙って、熱伝導率の高いアルミテープ２２を貼着しており、庫内灯２３の発熱を効率良く断熱仕切壁７に伝導させて、冷蔵室４の底面を加温させることにより、確実に冷凍室３の温度影響による低温障害を防止することができるとともに、庫内灯２３の点灯時間または、出力電力を最小限に抑制でき、省電力化とすることができるようになっている。なお、アルミテープでなくとも、同様の熱伝導率の高い素材の伝導部材を用いてもよい。
【００１７】
一方、図４に示すように、冷蔵室４開口周縁部には、ドアスイッチ２５を取付けており、このドアスイッチ２５は、冷蔵室扉６が閉扉されると、ビード６ａが突起部を押圧して閉扉されたことを検知し、開扉されると、押圧されていた突起部が開放され、開扉されたことを検知するようになっている。
このとき、ドアスイッチ２５により開扉を検知すると、庫内灯２３は、通常の出力電力、ここでは１５Ｗで点灯し、閉扉を検知すると消灯するようになっている。
【００１８】
図６は、制御回路のブロック図を示している。この図において、ドアスイッチ２５の開閉信号、温度センサ２１、外気温センサ２６の検知温度を制御装置３０に入力するようになっている。
制御装置３０は、上記入力信号に基づき各電気部品の運転制御を行っている。
圧縮機１８は、予め制御装置３０に設定された複数の設定温度帯から、図示しない調節器により一つの設定温度帯が選択され、この設定温度帯に保持されるように運転と停止を繰り返すようになっている。
【００１９】
具体的には、圧縮機１８が停止している場合、温度センサ２１の検知温度が、圧縮機１８の運転開始温度、ここでは４℃以上となると、庫内温度が高くなったと判断して圧縮機１８を駆動させて、冷却運転を開始する。一方、圧縮機１８が運転している場合には、温度センサ２１の検知温度が、圧縮機停止温度、ここでは２℃以下となると、庫内温度が低くなったと判断して、圧縮機１８を停止させて、冷却運転を終了する。
【００２０】
冷却ファン１０は、圧縮機１８が運転されると運転し、停止されると停止するように圧縮機１８と同期運転をおこなうようになっており、また、ドアスイッチ２５が開扉を検知した場合には、庫外への冷気リーク防止のために停止する。
除霜ヒータ１２は、制御装置３０に内蔵された圧縮機１８の運転時間を計測する運転タイマ３１の累積時間が、例えば８時間に至ると、冷却運転を停止させて通電され、蒸発器１１の除霜を行う。除霜が進行して、蒸発器１１の温度が上昇し例えば、３℃以上になったときには、その通電を停止して冷却運転に復帰する。
【００２１】
このような構成により、圧縮機１８の駆動とともに蒸発器１１により生成された冷気の一部は、冷却ファン１０により冷凍室３に吹出された後、冷却室９に戻されて冷凍室３が冷却される。また、他の冷気は送風路１４より冷蔵室４に流された後、冷却室９に戻されて冷蔵室４が冷却されるようになっている。
温度センサ２１の検知温度が圧縮機停止温度を超えた場合には、冷蔵室４が過冷却となるため、圧縮機１８および冷却ファン１０の運転を停止させて冷却運転を終了し、冷蔵室４は平均的に、ここでは３℃に保持されるようになっている。
【００２２】
このとき冷凍室３は所定の冷凍温度帯、ここでは、−１８℃〜−２２℃に保持されるよう冷気流量構造を設計している。すなわち冷蔵室の室温によって冷蔵室および冷凍室の温度制御を行っている。
さて、制御装置３０には、庫内灯２３の点灯時間を計測する庫内灯タイマ３６および圧縮機１８の停止時間を計測する停止タイマ３２を内蔵している。
この停止タイマ３２と前記運転タイマ３１により計測された時間は、書き込み装置３３によって、記憶装置３４に書き込まれるようになっている。
【００２３】
具体的には、記憶装置３４には圧縮機１８の運転状態を記憶させておく複数（ここでは、３つ）のアドレスを有しており、１つのアドレス内には圧縮機１８の１サイクルの運転時間、すなわち運転時間と停止時間を、書き込み装置３３によって書き込まれる。圧縮機１８が停止状態から運転を開始すると、次のアドレスに運転時間を書き込んでいくとともに、圧縮機１８が停止されると引続いて同じアドレス内に停止時間を書き込んでいき、これを１サイクルの運転状態として記憶装置３４に記憶させておく。全てのアドレスの書き込みが終了した場合には、最後に書き込みをしたアドレスに上書きをするようになっており、現状の運転状態および直前の圧縮機１８の運転状態を認識できるようになっている。
【００２４】
同じく制御装置３０に内蔵された運転率算出装置３５は、圧縮機１８の運転率を算出するものであるが、アドレス内に記憶されている運転状態および現在書込み中の運転状態から、トータルの運転時間と停止時間を抽出して、平均運転率を算出するようになっている。
このような構成により、突発的に過負荷が生じても、圧縮機１８の動向を的確に把握することができ、正確な運転率を算出することができる。
【００２５】
また、書き込み中の運転状態のみで、運転率を算出することは可能であり、かかる場合には、圧縮機１８の運転状態並びに庫内の冷却状態を迅速に把握することができる。
なお、圧縮機１８がインバータ制御によるものである場合には、低速回転の場合にも停止時間とみなして運転率を算出することも可能であり、回転数および停止時間に基づいて運転率を算出してもよい。
【００２６】
一方、庫内灯２３は、ドアスイッチ２５の開扉信号により点灯する場合には、通常の単位時間当たりの出力電力で通電する。具体的には、開扉信号を検知している間は、例えば、１５Ｗ出力電力を１００％通電するようになっている。
また、通常の単位時間当たりの出力電力よりも小さく運転させる場合には、時分割通電により行う。例えば、２０分を一周期として１０分通電し、残りの１０分を停止すると５０％通電となり、単位時間当たりの出力電力は小さくするようになっている。この単位時間としては、１秒，１分，１０分，１時間など適宜変更してもよく、単位時間当たりの出力電力を変更する方法としては、インバータ制御によって行ってもよいし、出力電圧自体を分圧してもよい。
【００２７】
次に、第１の実施の形態である本発明の制御手段の動作について図１のフローチャート、および、その温度変動について図７のグラフに基づいて説明する。
圧縮機１８が運転中であれば、図７に示すように、温度センサ２１の検知温度は圧縮機１８の停止温度まで達しておらず、また、温度センサ２１の検知温度よりも低温である冷蔵室の底面においても、０℃以下まで過冷却されることがないように断熱仕切壁７などの設計が行われているため、この場合に過冷却されることがない。
よって、圧縮機１８の運転中は、特に温度補償用として庫内灯２３を点灯する必要がないため、ステップ１１においては、圧縮機１８が運転中か否かを検出し（Ｓ１１）、運転中でなければステップ１２に進む。
【００２８】
ステップ１２において、圧縮機１８が運転を停止したとき、具体的には、温度センサ２１の検知温度が圧縮機停止温度以下に到達したときに、庫内灯２３を点灯する（Ｓ１２）。
圧縮機１８が運転を停止した場合においても、庫内灯２３を点灯しないと、冷凍室３の温度影響を受けて図７に示す破線のように、底面の温度は下降していくことになり、０℃以下まで到達する恐れがある。
しかし、本発明では、圧縮機の停止と同時に庫内灯２３を点灯させて、底面の温度補償を行うことにより、上記のような問題を解消することができる。
【００２９】
また、庫内灯２３の通電は、通常の単位時間当たりの出力電力よりも小さくして通電するため、一般的に使用されている温度補償用のヒータと同様の作用を有し、冷蔵室４内を加温し過ぎることもなく、的確に冷蔵室４内の室温を維持することができる。
ここでの通電方法は、１周期を１５分として、５分通電の後に、１０分通電を停止する約３０％の時分割通電を行っている。これは、一般的な庫内灯２３の出力電力がヒータの３倍程度であることから、庫内灯２３の単位時間当たりの出力電力をヒータと同程度にするためである。
【００３０】
さて、図７に示すように、時分割通電を行うと、温度センサ２１並びに底面温度は、庫内灯２３の点灯時に急激に上昇し、消灯されると緩やかに上昇し、これが継続すると温度センサ２１の検知温度が圧縮機運転開始温度以上に到達する。このとき、底面においても庫内灯２３の点灯により３℃程度まで十分に加温されているため、これ以上、継続して点灯する必要がなくなる。
よって、ステップ１３においては、圧縮機１８が運転停止されたか否か、具体的には、温度センサ２１の検知温度が圧縮機運転開始温度以上に到達したか否かを検出し（Ｓ１３）、圧縮機１８の運転が停止されれば、ステップ１４に進んで、庫内灯２３を消灯させるようになっている（Ｓ１４）。
【００３１】
上記構成によれば、ヒータの代わりに庫内灯２３を点灯させて、室内の温度補償を行うため、ヒータを廃止することができ、部品点数削減によるコスト低減、作業効率を向上させることができるとともに、コスト低減も図ることができる。
また、温度補償用のヒータの代わりに、単に庫内灯を用いても、一般的な１０〜１５Ｗ程度で通電することなく、通常の単位当たりの出力電力よりも小さく通電することにより、過剰な加温を抑制することができ、消費電力を低減することができる。
【００３２】
さらに、庫内灯２３の配置位置は一般的に冷蔵室４内の天井面または冷蔵室４高さ方向の中間位置よりも上方の背面に設けられており冷蔵室４の底面を加温するためには離れ過ぎているが、庫内灯２３を冷蔵室４の下部に配設したことにより、冷蔵室全体よりも底面を加温する作用の方が強いため、底面は十分に加温され、底面に載置された食品への低温障害を防止することができる。
なお、庫内灯２３を冷蔵室４の下部に配置することにより、その上部に配置された棚に食品が敷き詰められた状態においても、冷蔵室内が照明されるかが懸念されるが、一般的に、庫内灯２３の照明が必要となるのは夜中など周りが暗いときであり、かかる場合においては下部に配置されても十分室内を見渡すことができる程度に照明される。出願人は、上記のように棚上に食品を敷き詰めた状態で庫内灯２３を点灯させて観察したところ、食品同士には僅かであってもすき間が生じているため、このすき間と、内箱の背面または側面を介して、上部の空間に対しても間接的に照明され、庫内灯２３の作用を保持することができる。
【００３３】
一方、一般的に２温度式の冷蔵庫においては、その高さ寸法は１３０ｃｍ〜１５０ｃｍ程度と小さいため、食品の取り出しや貯蔵するときには、腰を折り曲げたり、屈んだりする必要がない上部の方が使い勝手がよい。このため、庫内灯２３を下部に配置することにより、使い勝手のよい上部空間を拡大することができるため、使用者の利便性を向上させることができる。
【００３４】
次に、第２の実施の形態である本発明の制御手段の動作について、図２のフローチャート、図８，図９の温度変動グラフに基づいて説明する。
図２に示すようにステップ２１では、電源が投入されたか否かを検出し（Ｓ２１）、電源が投入されれば、ステップ２２に進む。
ステップ２２では、圧縮機１８を運転させて（Ｓ２２）、ステップ２３に進む。
ステップ２３では、運転タイマ３１を起動させて、圧縮機１８の積算運転時間Ｔａを測定していき（Ｓ２３）、ステップ２４に進む。
ステップ２４では、圧縮機１８が停止したか、具体的には、温度センサ２１の検知温度が圧縮機停止温度以下まで到達したか否かを検出し（Ｓ２４）、圧縮機１８が停止すれば、運転タイマ３１で測定した積算運転時間Ｔａを記憶して、ステップ２５に進む。
【００３５】
ステップ２５では、ステップ２３で測定していた積算運転時間Ｔａが予め設定していた所定時間Ｔｂ以上、ここでは３０分以上であるか否かを検出し（Ｓ２８）、所定時間Ｔｂ以上であれば、ステップ２６に進み、そうでなければステップ２８に進む。
一般的に、図９に示すように、圧縮機１８の積算運転時間が長く、例えば３０分以上になることは、外気温が３０℃以上など高いときに生じ易いが、これは外気温と冷蔵室４の室温の差が大きくなるため、冷気リークの影響により温度下降が鈍化して、圧縮機１８の運転開始温度に到達するまでの時間が長くなるからである。
【００３６】
この場合、外気温との温度差が大きいことから、圧縮機１８の停止後においては、急激に温度上昇することになり、圧縮機１８の停止時間は短くなる。
すると、圧縮機１８が長い時間に亙って運転されて冷蔵室４の底面が１℃〜０℃近辺まで冷却されているのにも拘らず、庫内灯２３の点灯は、圧縮機１８の短い停止時間のみであるため、この間に十分に底面を加温することができなくなり、サイクル毎に底面温度が落込み０℃以下まで到達する恐れが生じてくる。
【００３７】
このため、ステップ２６においては、積算運転時間Ｔａが所定時間Ｔｂ以上の場合には、庫内灯２３の単位時間当りの出力電力を高く、ここでは１００％で運転することにより（Ｓ２６）、短い通電時間であっても、図８に示すように確実に底面を加温することができ、もってサイクル毎に底面温度が落込み０℃以下まで到達することを防止することができる。
一方、ステップ２７においては、積算運転時間Ｔａが所定時間Ｔｂより小さい場合には、このような恐れがないため、庫内灯２３の単位時間当りの出力電力を小さく、ここでは時分割通電により３０％で通電を行う（Ｓ２７）。
【００３８】
このようにして、ステップ２６，２７において、それぞれの庫内灯２３の単位時間当り出力電力を決定した後は、ステップ２８に進み、圧縮機１８が運転開始されたか否かを検出、具体的には、温度センサ２１の検知温度が圧縮機運転開始温度以上まで到達したか否かを検出し（Ｓ２８）、到達していれば、ステップ２９において庫内灯２３を消灯して（Ｓ２９）、ステップ２３に戻るようになっている。
【００３９】
上記構成によれば、圧縮機１８の運転時間が所定時間以上の場合には、庫内灯２３の単位時間当りの出力電力を高く設定して通電するため、圧縮機１８の停止時間が短くとも、確実に冷蔵室４の底面を加温することができ、もって載置された食品への低温障害を防止することができる。
【００４０】
なお、上述した構成においては、圧縮機１８の直近の積算運転時間をもって、庫内灯２３の通電制御を変更設定するようにしているが、これに限らず、例えば所定サイクルの平均積算運転時間で行ってもよく、また、運転率を用い、直近または所定サイクルの運転率が所定値以上、例えば７０％以上の場合に庫内灯２３の単位時間当りの出力電力を高く設定（例えば、通電率を５０％に設定）して通電してもよい。
また、上記構成においては、積算運転時間により二通りの出力電力の設定を行ったが、これに限らず、さらに複数の設定時間を設けて、その設定時間毎に単位時間当りの出力電力値を設定してもよい。
【００４１】
次に、第３の実施の形態である本発明の制御手段の動作について、図３のフローチャートに基づいて説明する。なお、第２の実施の形態と重複する部分については、同符号を付し、その説明を省略する。
本実施形態においては、図２に示すステップ２５における圧縮機１８の積算運転時間判定の代りに、ステップ３１による外気温判定を採用したものである。
【００４２】
外気温が高い場合には、上述したように冷蔵室温と外気温との温度差が大きくなるため、温度上昇率が高くなり、もって圧縮機１８の運転率が高くなる。このため、庫内灯２３の点灯時間も短くなることから、十分に底面を加温することができなくなるということが生じる。
したがって、ステップ３１において、外気温センサ２６による検知温度が、所定温度、例えば３０℃以上か否かを検出して（Ｓ３１）、所定温度以上であれば、冷蔵室４の加温する時間が短いとみなして、ステップ２６に進み、その単位時間当りの出力電力を高くして、ここでは１００％で通電する。一方、所定温度よりも低ければ、通常よりも、その単位時間当りの出力電力を低くして、ここでは３０％で通電する。
このような構成により、圧縮機１８の運転時間や運転率に基づかなくとも、第２の実施の形態における構成と同様の効果を奏することができる。
【００４３】
以上説明した構成は、本発明の一実施形態であり、種々の組み合わせ、変更が可能である。例えば、庫内灯２３の点灯のタイミングは、圧縮機１８と完全に同期させていたが、若干のタイムラグなどがあってもよい。特に消灯のタイミングにおいては、外気温が低い場合などにおいては、庫内灯２３の発熱が庫内の温度補償も兼ねるので、圧縮機１８の駆動時においても点灯させておいてもよい。
また、冷蔵庫の形態は、冷凍室３、冷蔵室４のみでなく、野菜室、パーシャル室、切替室、製氷室などを有する冷蔵庫であっても、なんら本発明の効果には影響を与えるものではなく、庫内灯２３と温度センサ２１の配置位置についても、背面に限らず、冷蔵室４の下部側面および底面など適宜設置変更可能である。
【００４４】
一方、上述した冷蔵庫の形態では、冷却ファン１０の運転により庫内を冷却するいわゆるファンクールの形態で説明したが、本発明の作用・効果を逸脱しない限り直冷方式やパラレルサイクル、セミパラレルサイクル、２ステージサイクルなど種々の冷蔵庫の形態に適応させることも可能である。
さらに、本実施の形態で示した所定時間、所定温度などについては、冷蔵庫の容積、冷却能力によって適宜変更されるものである。
【００４５】
【発明の効果】
本発明の構成によれば、少なくとも冷凍室の上方に冷蔵室を有した形態の冷蔵庫において、冷蔵室底面の過冷却を確実に防止することができる。
【図面の簡単な説明】
【図１】本発明の第１の実施の形態における制御手段の動作を示すフローチャートである。
【図２】本発明の第２の実施の形態における制御手段の動作を示すフローチャートである。
【図３】本発明の第３の実施の形態における制御手段の動作を示すフローチャートである。
【図４】本発明の冷蔵庫を示す縦断面図である。
【図５】本発明の庫内灯を設置する背面部及び底面部を示す分解図である。
【図６】本発明の冷蔵庫の制御回路を示すブロック図である。
【図７】本発明の第１の実施の形態の動作温度を示すグラフである。
【図８】本発明の第２の実施の形態の動作温度を示すグラフである。
【図９】外気温が高い場合における動作温度を示すグラフである。
【図１０】従来の制御手段における動作温度を示すグラフである。
【符号の説明】
１…冷蔵庫本体            ２…断熱箱体                ３…冷凍室
４…冷蔵室                ５…冷凍室扉                ６…冷蔵室扉
７…断熱仕切壁（底面）      １０…冷却ファン            １１…蒸発器
１２…除霜ヒータ          １８…圧縮機                １９…断熱材
２０…背面カバー            ２１…温度センサ              ２２…アルミテープ
２３…庫内灯                ２４…化粧カバー              ２５…ドアスイッチ
２６…外気温センサ          ３０…制御装置                ３１…運転タイマ
３２…停止タイマ          ３３…書き込み装置          ３４…記憶装置
３５…運転率算出装置      ３６…庫内灯タイマ
【図１】
2005003262.tif 000003
【図２】
2005003262.tif 000004
【図３】
2005003262.tif 000005
【図４】
2005003262.tif 000006
【図５】
2005003262.tif 000007
【図６】
2005003262.tif 000008
【図７】
2005003262.tif 000009
【図８】
2005003262.tif 000010
【図９】
2005003262.tif 000011
【図１０】
2005003262.tif 000012